(57)【要約】  オフセット印刷装置のインキ装置内でインキ量の加速された調整を行うために、前記印刷装置のインキ溝から、インキ出しローラ（１）とインキ移しローラ（６）とを介してインキ装置内に搬送されるインキ量を、前記インキ出しローラにおけるインキ量に関してインキ計量を決定するインキ計量要素（３）の位置調整の間に最大化することが提案される。
2017523069.tif 000002
【特許請求の範囲】
【請求項１】
枚葉紙オフセット印刷機のインキ移しローラ式インキ装置として形成されたインキ装置内のインキ供給を制御するための方法であって、前記インキ装置において印刷を行うために準備された印刷インキは、インキ貯蔵部からインキ出しローラ（１）と協働するインキ計量部（３）を介して提供され、前記インキ出しローラ（１）と、後置されるとともに複数のインキ装置ローラのうちの第一のインキ装置ローラとして形成されたインキローラ（７）との間で往復移動されるインキ移しローラ（６）によってさらに搬送され、前記インキ出しローラ（１）は所定の回転数で駆動される方法において、
インキ計量の動的として限定される調整の際、インキ計量要素（３）の動的位置調整が持続する間、前記インキ出しローラ（１）から前記インキ移しローラ（６）を介して搬送されるインキ量は、最大値に、または近似的に当該最大値に設定されることを特徴とする方法。
【請求項２】
インキ計量の動的として限定される調整の際、前記インキ計量要素（３）の前記動的位置調整が持続する間、前記インキ出しローラ（１）の速度は、最大値に、または近似的に当該最大値に調整されることを特徴とする請求項１に記載の方法。
【請求項３】
前記インキ出しローラ（１）の前記速度は、最大速度の９９％から１００％の値に調整されることを特徴とする請求項１または２に記載の方法。
【請求項４】
インキ計量の動的として限定される調整の際、前記インキ計量要素（３）の前記動的位置調整が持続する間、インキ移しローラストリップ幅、または、前記インキ出しローラ（１）への前記インキ移しローラ（６）の当接時間は、前記インキ移しローラ（６）の駆動部を用いて最大値に、または近似的に最大値に調整されることを特徴とする請求項１に記載方法。
【請求項５】
前記インキ移しローラストリップ幅、または、前記インキ出しローラ（１）への前記インキ移しローラ（６）の前記当接時間は、前記インキ移しローラ駆動部を介して最大に調整可能な前記インキ移しローラストリップ幅、または前記インキ出しローラ（１）への前記インキ移しローラ（６）の前記当接時間の９５％から１００％の値に調整されることを特徴とする請求項１および４のいずれか一項に記載の方法。
【請求項６】
前記インキ出しローラ（１）の前記最大回転数または近似的最大回転数の調整と、前記最大インキ移しローラストリップ幅または近似的最大インキ移しローラストリップ幅、または前記インキ出しローラ（１）への前記インキ移しローラ（６）の最大当接時間または近似的最大当接時間の調整とは、互いに協調されて組み合わされるか、または同時に行われることを特徴とする請求項１から５のいずれか一項に記載の方法。
【請求項７】
請求項１に記載の方法を実施するためのインキ装置であって、駆動部を有するとともに、設定可能な回転数値で作動可能なインキ出しローラ（１）と、アクチュエータを備えるインキ計量要素（３）を用いて前記インキ出しローラ（１）と協働するインキ計量部と、前記インキ出しローラ（１）に後置されるインキ移しローラ（６）であって、駆動部を用いて前記インキ出しローラ（１）と、第一のインキ装置ローラとして形成されたさらなるインキローラ（７）との間で往復移動可能な、インキ移しローラ（６）と、制御部と、を有するインキ装置であり、前記制御部は、前記インキ計量要素（３）の前記アクチュエータ、および／または前記インキ出しローラ（１）の前記駆動部、および／または前記インキ移しローラ（６）の前記駆動部と信号接続されているインキ装置において、
制御部（５）により、インキ計量の動的として限定される調整の際、前記インキ計量要素（３）の動的位置調整が持続する間、前記インキ出しローラ（１）の前記駆動部（４）は、前記インキ出しローラ（１）の前記速度を最大値に、または近似的に当該最大値に調整可能であることを特徴とするインキ装置。
【請求項８】
前記インキ出しローラ（１）の前記駆動部（４）は制御部を有しており、当該制御部は一つ以上の信号発生器を用いて、前記インキ出しローラ（１）の回転数を、前記インキ計量要素の位置調整の際の、前記インキ計量要素（３）の前記アクチュエータの移動に関する機能的位置に依存して表すことを特徴とする、請求項７に記載のインキ装置。
【請求項９】
請求項４に記載の方法を実施するためのインキ装置であって、駆動部を有するとともに、設定可能な回転数値で作動可能なインキ出しローラ（１）と、アクチュエータを備えるインキ計量要素（３）を用いて前記インキ出しローラ（１）と協働するインキ計量部と、前記インキ出しローラ（１）に後置される、駆動部（８）を備えるインキ移しローラ（６）であって、駆動部を用いて前記インキ出しローラ（１）と、第一のインキ装置ローラとして形成されたさらなるインキローラ（７）との間で往復移動可能な、インキ移しローラ（６）と、制御部と、を有するインキ装置であり、前記制御部は、前記インキ計量要素（３）と、前記インキ出しローラ（１）および前記インキ移しローラ（６）の前記駆動部と、と信号接続されているインキ装置において、
前記制御部（５）により、インキ計量の動的として限定される調整の際、前記インキ計量要素（３）の前記動的位置調整が持続する間、前記インキ移しローラ（６）の前記駆動部（８）を介して、前記インキ移しローラ（６）の前記インキ移しローラストリップ幅、または、前記インキ出しローラ（１）からインキを取り出すための、前記インキ出しローラ（１）への前記インキ移しローラ（６）の前記当接時間は、最大値に、または近似的に当該最大値に調整可能であることを特徴とするインキ装置。
【請求項１０】
前記インキ移しローラ（６）の前記駆動部（８）は制御部を有しており、当該制御部は一つ以上の信号発生器を用いて、前記インキ出しローラ（１）に対する前記インキ移しローラ（６）の位置と、前記インキ計量要素の位置調整の際の、前記インキ計量要素（３）の前記アクチュエータの移動に関する機能的位置とを表すことを特徴とする請求項９に記載のインキ装置。
【発明の詳細な説明】
【技術分野】
【０００１】
本発明は、請求項１のおいて書き部に記載のインキ濃度制御を行うための方法に関する。
【背景技術】
【０００２】
オフセット印刷機におけるインキ制御において、一の制御ステップはインキ計量要素の調整を変化させることが知られている。このときこのように変化させられて、オフセット印刷装置のインキ装置内に搬送すべきインキ量は、多数のインキローラを介して、当該インキ量が印刷プレートに到達し、当該印刷プレートにおいて所望のインキ量が調整されるまで搬送されなければならない。この移行の時間間隔のために、まだ正しい着色を有していない多数の印刷枚葉紙が生じ、これらは損紙と見なされなければならない。
【０００３】
特許文献１から、ハーフトーニングによって作動する多色刷り印刷機において、被印刷材料上にあらかじめ設定された印刷結果を実現するための方法が知られている。被印刷材料上に印刷された測定フィールドからベタ濃度および／またはハーフトーン濃度としての測定値が得られ、当該測定値から、あらかじめ設定された印刷結果に対する目下の印刷結果の偏差が特定される。必要に応じて目下の印刷結果を、できるだけ速やかにあらかじめ設定された印刷結果に近づけるために、少なくとも被印刷材料の選択されたインキゾーンへの印刷インキの供給は、まず限定された時間間隔の間、特定された偏差に対応するよりも大きく変化させられ、その後初めて当該偏差に応じて調整される。不利な点は、インキ供給をゾーンごとに変化させるにもかかわらず、変化させられたインキ量は、多数のインキローラを介して搬送されることになっており、それにより着色を適合させる際の遅延が生じることである。
【０００４】
特許文献２から、インキ量供給のための方法および装置が知られている。インキ供給のための方法と、当該方法を実施するための対応するインキ装置とは、駆動部を有するとともに設定可能な回転数の値で作動可能なインキ出しローラと、当該インキ出しローラと協働するインキ計量部と、前記インキ出しローラに後置されるとともに、駆動部を用いてインキ出しローラとさらなるインキローラとの間で往復移動可能なインキ移しローラと、制御部と、を備えて作動し、当該制御部はインキ計量部と、インキ出しローラおよびインキ移しローラの駆動部と、と信号接続されている。
【０００５】
インキ装置の反応時間を顕著に加速するために、インキ計量の調整が変化されるとき、制御部が始動される。このときインキ出しローラの駆動部は、インキ移しローラがインキ出しローラと接触していない時間間隔において、比較的大きな回転数の値に制御される。不利な点は、特定の時間間隔においてのみ、変化されたインキ量を供給可能なことであり、それによりインキ装置の反応時間は実質的に減少しない。
【先行技術文献】
【特許文献】
【０００６】
【特許文献１】独国特許出願公開第３９０４３０１号明細書
【特許文献２】独国特許出願公開第１０２４２２７８号明細書
【発明の概要】
【発明が解決しようとする課題】
【０００７】
本発明の課題は、インキ制御方法において、インキ装置内にあるインキ量をより迅速に適合させ、それによって損紙を削減することである。
【課題を解決するための手段】
【０００８】
従って本発明により、高度に動的なインキ濃度制御が提案され、当該インキ濃度制御では、インキスライドの開度が計算された値を、一定の時間間隔の間および／またはインキ移しローラの多数の当接過程の間、上回る、もしくは下回ることが行われる。
【０００９】
動的位置調整が持続する間、インキ出しローラ速度および／またはインキ移しローラストリップ幅は最大値、もしくは近似的に９５％から１００％の最大値に設定される。これにより目標インキ濃度は、既知の動的インキ濃度制御の場合よりもはるかに迅速に達成される。
【００１０】
インキ移しローラがインキ出しローラに当接する時間が一定に保たれている限り、インキ出しローラ速度を変化させれば、インキ移しローラストリップ幅は変化させられる。しかしながらインキ移しローラストリップの位置調整は、インキ移しローラがインキ出しローラに当接する時間を変化させることによっても変更され得る。その場合、最大値もしくは近似的に９９％から１００％の最大値に調整することは、当接時間に関するインキ移しローラ駆動部の調整可能性に関連すると想定される。
【００１１】
本発明は以下の有利点を有している、もしくは以下の不利点を回避する。
ａ）目標インキ濃度をより迅速に達成すること。
ｂ）インキ計量要素の移動距離は、従来の動的方法の場合よりも小さい。
ｃ）インキが噴霧されることを生じさせ得る、非常に大きなスライド開度が回避される。
【００１２】
有利なさらなる構成は従属請求項に記載されている。
【図面の簡単な説明】
【００１３】
【図１】制御部を備える本発明に係るインキ装置を示す図である。
【図２ａ）】インキ計量部とインキ出しローラの領域内での本発明の作用を示す図である。
【図２ｂ）】インキ計量部とインキ出しローラの領域内での本発明の作用を示す図である。
【図２ｃ）】インキ計量部とインキ出しローラの領域内での本発明の作用を示す図である。
【発明を実施するための形態】
【００１４】
図１は、図に示されていないオフセット印刷機のインキ移しローラ式インキ装置の上方部分を原理的に示している。インキ出しローラ１はインキ溝２と協働し、当該インキ出しローラは制御可能な駆動部４を有している。インキ出しローラ１の回転方向は矢印で記載されている。インキ溝２の下方端部にインキ計量要素３が設けられており、当該インキ計量要素は例えば、直線的に移動可能であるとともに、それぞれアクチュエータを有しているインキスライドとして形成されている。インキ出しローラ１に後置されているのは、インキ出しローラ１とさらなるインキローラ７との間で往復移動されるインキ移しローラ６である。インキ移しローラ６に対して駆動部８が配設されている。従って、インキ移しローラ６によって、インキ出しローラ１から取り出されるインキストリップの長さは、インキ出しローラ１の回転数に依存し、それにより駆動部４の回転数の設定を介して調整可能である。
【００１５】
インキ出しローラ１の駆動部４は制御部５と信号接続されており、制御部５はまた、インキ計量のための装置３およびインキ移しローラ６の駆動部８と接続されている。駆動部８との接続により、制御部５を介して、インキ移しローラ６がインキ出しローラ１に当接する時間の持続が検知可能であり、インキ移しローラがインキ出しローラ１に当接しているかどうかも検知可能である。これは例えば駆動部８内に設けられるとともに、インキ移しローラ６の往復移動を検知する信号発生器によって行われる。
こうして制御部５と信号接続されている図に示されていない入力装置、例えばインキ制御装置の入力装置によって、インキ供給がインキ計量要素３を介して動的に、すなわち印刷プロセスの間にインキの搬送が行われている状態で変化させられると、これに対して制御部５は本発明に係るやり方で、様々に反応する。
まず、インキ計量要素３の動的位置調整が持続している間、インキ出しローラ１は、設定された印刷状況に対して定められた速度値から、最大速度値または近似的最大速度値に加速される。これにより、計量要素の変化によって生じるインキ出しローラ１の表面上のインキ層の変化が動的に実現され、それにより、より迅速にインキ移しローラ６との直接的な接触に至る。
インキ移しローラ６がインキ出しローラ１に当接する設定された時間が同じである場合、これにより、いわゆるインキ移しローラストリップは比較的長いものが作られる。これは、インキ出しローラ１に当接するインキ移しローラ６の表面の展開長さを意味する。従って、計量要素の開度が大きくなると、インキ出しローラ１の加速により、付加的により多くの印刷インキが後続のインキローラを介してインキ装置に搬入される。
一方、比較的少ない印刷インキが搬送されるべきであって、計量要素の開度が小さくされるとき、計量要素の開度を小さくする間にインキ出しローラ１を加速することにより、上方のインキ出しローラからインキ出しローラ１への印刷インキの逆搬送を加速することも可能となる。
【００１６】
インキ計量要素３の動的位置調整が終了すると、インキ出しローラ１の駆動部４が制御され、それにより再び以前の、与えられた印刷状況に対して選択された速度値で、インキ出しローラ１が作動される。
【００１７】
一方、インキ計量要素３の動的位置調整が持続している間、制御部５を介して、インキ移しローラ６は当該インキ移しローラの駆動部８を介して、インキ出しローラ１に対する当該インキ移しローラの往復移動において調整され得、それにより、インキ出しローラ１への当接時間によって決定されるインキ移しローラストリップ幅が、設定された印刷状況に対して定められた値から、インキ移しローラストリップ幅の最大値または近似的最大値に変更される。これによっても、計量要素の変化によって生じるインキ出しローラ１の表面上のインキ層の変化が、インキ移しローラ６から直接的に後続のインキ装置ローラ７に到達することが実現される。
インキ計量要素３の動的位置調整が終了すると、インキ移しローラ６の駆動部８が制御され、それにより再び以前の、与えられた印刷状況に対して選択された当接時間、およびそれとともにインキ移しローラストリップ幅の値で、インキ移しローラ６が作動される。
【００１８】
図２ａ）から図２ｃ）は本発明の基本的な作用を示している。
図２ａ）には、インキ計量要素３の本来の調整の間の状況が示されている。インキ出しローラ１は印刷状況に対して設定された速度値（矢印）で動き、インキ移しローラ６はインキ出しローラと後置されたインキローラ７との間を往復移動する。
【００１９】
図２ｂ）では、インキ計量要素３を変化させること、すなわち、本図においてはインキ計量要素３とインキ出しローラ１の表面との間の隙間をより大きく調整するという形でインキ供給を増大させることが行われている。これはインキ出しローラ１上のインキ層９において急激な変化を生じさせる。インキ移しローラ６はインキ出しローラ１に接触していない。すでにこの時点でインキ出しローラ１の速度は、当該インキ出しローラの最大速度の９９％から１００％に増大させられ、それにより、より大きな層厚９（より大きく調整された隙間）はより速やかにインキ移しローラ６との接触領域内に至り、取り分け、厚さが増大したインキ層がインキ移しローラ６と接触しているとき、厚さと長さが増大した印刷インキのインキ移しローラストリップが、インキ移しローラ６上に作り出され、当該インキ移しローラからインキ装置内に送られる。インキ出しローラ１の回転数が増大させられていることは、矢印の長さによって暗示されている。
【００２０】
図２ｃ）には、インキ移しローラ６がインキ出しローラ１に接触した後、インキ計量の変化によって生じたインキ層厚の変化９が今やインキ移しローラ６上に移され、当該インキ移しローラからその後、後置されたインキローラ７と接触する際、インキ装置のさらなるローラに引き渡されることが示されている。このときインキ出しローラ１は、インキ計量要素３の動的位置調整が終了するまで、常に最大速度または近似的最大速度で動かされる。
【００２１】
図２ｃ）には方法の第二の選択肢が認められる。インキ移しローラ６によって、インキ出しローラ１から取り出されるインキストリップＳは、インキ移しローラストリップ幅としてインキ移しローラ６の周囲に位置している当該インキストリップのインキ層において示されている。当該インキ移しローラストリップ幅は代替的に、インキ計量要素３の動的位置調整の間に、最大値の９５％から１００％の値に調整され得る。すなわちこのとき本発明により意図されるのは、インキ計量要素３の動的位置調整時間の間、インキ出しローラ１とインキ移しローラ６との当接時間の最大化が行われるべきであるということである。
【００２２】
インキ出しローラの速度の変更と、インキ移しローラストリップ幅もしくはインキ出しローラ１とインキ移しローラ６との当接時間の変更と、は、互いに組み合わせて実施され得る。このとき時間的なオンオフ切り替えによる協調が行われていてよい。
【００２３】
しかしながらいずれの場合も、インキ出しローラの速度の変更、およびそれとともにインキ移しローラストリップ幅もしくはインキ出しローラ１へのインキ移しローラ６の当接時間の変更は、インキ計量要素３の動的位置調整が終了した後、再び撤回される。
その後再び、例えばインキ制御装置によって設定された、インキ装置の十分なインキ供給に対してそれぞれ定められた設定値が調整される。すなわちその後、インキ出しローラ１は再び、個々の印刷状況に対して定められた速度で駆動される。インキ移しローラ６も再び、個々の印刷状況に対して定められたインキ移しローラストリップ幅を備えて作動される。
【００２４】
基本的に留意すべき点は、インキ出しローラ１の速度を増大させると、より大きな、もしくはより長いインキ移しローラストリップが得られることである。印刷機の制御ステーションにおいて、インキ移しローラストリップ幅が変更されるとき、通常はインキ出しローラの速度を変化させることが行われる。インキ移しローラストリップ幅と、インキ出しローラの速度とは互いに比例する。
さらに通常、インキ移しローラの動きは印刷機の主駆動部を介して生じさせられ、それによりインキ移しローラの動きは、主駆動部の速度に依存している。インキ移しローラの動きを変化させること自体は、比較的手間がかかる。しかしながら、インキ出しローラへのインキ移しローラの当接時間に影響を及ぼすために、インキ移しローラを動かすために設けられたインキ移しローラ用歯車装置が位置調整されることにより、インキ移しローラの動きを変化させることも同様に利用され得る。
【符号の説明】
【００２５】
１  インキ出しローラ
２  インキ溝
３  インキ計量部
４  駆動部（インキ出しローラ１）
５  制御部
６  インキ移しローラ
７  インキローラ
８  駆動部（インキ移しローラ６）
９  インキ層
Ｂ  インキ移しローラストリップ幅
【図１】
2017523069.tif 000003
【図２ａ）】
2017523069.tif 000004
【図２ｂ）】
2017523069.tif 000005
【図２ｃ）】
2017523069.tif 000006
【国際調査報告】
2017523069.tif 000007
2017523069.tif 000008
2017523069.tif 000009
2017523069.tif 000010